(57)【特許請求の範囲】
【請求項１】
少なくとも側面、天面、側面、底面とで筒状体を形成するスリーブに、シール蓋を密封シールしたトレーを収納してなり、前記スリーブから前記トレーを引き出す側の前記トレーのシール蓋に延長片を設け、該延長片と前記スリーブとが部分的に接着しているトレー同時開封スリーブカートンにおいて、
前記トレーの引き出す側に突起部を設け、該突起部と、前記スリーブの前記天面の引き出す側の外縁部とを部分的に接着し、前記スリーブと前記トレーとを一体化したことを特徴とするトレー同時開封スリーブカートン。
【請求項２】
前記スリーブの前記天面の引き出す側の外縁部の一部を突起部とし、該突起部と前記トレーの前記突起部とを接着し、前記スリーブと前記トレーとを一体化したことを特徴とする請求項１記載のトレー同時開封スリーブカートン。
【請求項３】
前記スリーブの前記天面の前記突起部に切り取り手段を設けたことを特徴とする請求項１記載のトレー同時開封スリーブカートン。
【請求項４】
前記切り取り手段が、帯状のジッパーによることを特徴とする請求項１記載のトレー同時開封スリーブカートン。
【請求項５】
前記切り取り手段が、前記トレーの引き出し側に向かって拡がったコの字形のミシン目によることを特徴とする請求項４記載のトレー同時開封スリーブカートン。
【請求項６】
前記切り取り手段が、前記トレーの引き出し側に拡がったコの字形の連続したＬ字形の切れ目によることを特徴とする請求項４記載のトレー同時開封スリーブカートン。
【請求項７】
前記スリーブの前記天面の引き出す側の外縁部の一部に切り取り部を設け、該切り取り部と前記トレーの前記突起部とを接着し、前記スリーブと前記トレーとを一体化したことを特徴とする請求項１記載のトレー同時開封スリーブカートン。
【請求項８】
前記スリーブの前記天面の引き出す側の外縁部と前記トレーの前記突起部とを貫通する吊り下げ用の孔を設けたことを特徴とする請求項１記載のトレー同時開封スリーブカートン。
【請求項９】
前記スリーブの前記天面の引き出す側と反対側の外縁部の一部を吊り下げ用の孔を有する突起部としたことを特徴とする請求項１記載のトレー同時開封スリーブカートン。
【請求項１０】
前記スリーブの前記突起部と前記トレーの前記突起部とを接着した部分を、内側に折り曲げたことを特徴とする請求項１記載のトレー同時開封スリーブカートン。
【発明の詳細な説明】
【０００１】
【発明の属する技術分野】
本発明は、トレーを収納し、かつ、同時開封機能を有するスリーブカートンに関するものである。
【０００２】
【従来の技術】
壊れやすい内容物あるいは密封性を必要とする内容物の保護を目的とする包装形態として、トレーとカートンとを組合せた形態が、一部に使われている。トレーに内容物を充填し、易開封性の蓋により密封し、一般的なサック箱をはじめ、スリーブ等のカートンにトレーを収納している。内容物を取り出す時には、カートンを開封し、またはジッパー等により部分的にスリーブカートンを破壊して、収納されているトレーを取り出し、そのトレーのシール蓋を剥がし、開封している。
【０００３】
【発明が解決しようとする課題】
しかしながら、従来の包装形態では、カートンを開封し、または、ジッパー等により部分的にカートンを破壊して、収納されているトレーを取り出し、トレーのシール蓋を剥がし、開封し、内容物を取り出すという煩雑さがあった。また、一般的なスリーブカートンではトレーをスリーブカートンに収納した場合、スリーブカートンからトレーがずれ落ちてしまうという危険性があり、一度開封した後に、トレーのシール蓋を再封することが簡単ではなかった。
本発明の目的は、トレーをスリーブから取り出すと同時に、蓋がトレーより剥離され、密封トレーが開封される包装、いわば、トレー同時開封スリーブカートンであって、トレーが脱落しない、カートン全体としてバージン性を持ち、スリーブからトレーを引出しやすく、かつ、トレーをスリーブの中に戻すだけで簡単にトレーのシール蓋を再封できるトレー同時開封スリーブカートンを提供することにある。
【０００４】
【課題を解決するための手段】
前記課題を解決するためになされた本発明は、少なくとも側面、天面、側面、底面とで筒状体を形成するスリーブに、シール蓋を密封シールしたトレーを収納してなり、前記スリーブから前記トレーを引き出す側の前記トレーのシール蓋に延長片を設け、該延長片と前記スリーブとが部分的に接着しているトレー同時開封スリーブカートンにおいて、前記トレーの引き出す側に突起部を設け、該突起部と、前記スリーブの前記天面の引き出す側の外縁部とを部分的に接着し、前記スリーブと前記トレーとを一体化したことを特徴とするトレー同時開封スリーブカートンである。
【０００５】
具体的には、一つの形態は、前記スリーブの前記天面の引き出す側の外縁部の一部を突起部とし、該突起部と前記トレーの前記突起部とを接着し、前記スリーブと前記トレーとを一体化したことを特徴とする形態があり、前記スリーブの前記天面の前記突起部に切り取り手段を設け、前記切り取り手段が、帯状のジッパーによること、前記切り取り手段が、前記トレーの引き出し側に向かって拡がったコの字形のミシン目によること、そして、前記切り取り手段が、前記トレーの引き出し側に拡がったコの字形の連続したＬ字形の切れ目によることを特徴とする。
また別の形態は、前記スリーブの前記天面の引き出す側の外縁部の一部に切り取り部を設け、該切り取り部と前記トレーの前記突起部とを接着し、前記スリーブと前記トレーとを一体化したことを特徴とする。
【０００６】
また、前記スリーブの前記天面の引き出す側の外縁部と前記トレーの前記突起部とを貫通する吊り下げ用の孔を設けたこと、あるいは、前記スリーブの前記天面の引き出す側と反対側の外縁部の一部を吊り下げ用の孔を有する突起部としたことを特徴とする。
さらに、前記スリーブの前記突起部と前記トレーの前記突起部とを接着した部分を、内側に折り曲げたことを特徴とする。
【０００７】
本発明によれば、トレーをスリーブから取り出すと同時に、蓋がトレーより剥離され、密封トレーが開封される包装、いわば、トレー同時開封スリーブカートンであって、トレーが脱落しない、カートン全体としてバージン性を持ち、スリーブからトレーを引出しやすく、かつ、トレーをスリーブの中に戻すだけで簡単にトレーのシール蓋を再封できるトレー同時開封スリーブカートンを得ることが出来る。
【０００８】
【発明の実施の形態】
以下、本発明によるトレー同時開封スリーブカートンについて図面によって説明する。
図１は本発明によるトレー同時開封スリーブカートンの一実施例を示す斜視図であり、図２は本発明によるトレー同時開封スリーブカートンの一実施例のスリーブのブランクの展開図であり、そして、図３はスリーブの突起部の拡大図である。
また、図４は本発明によるトレー同時開封スリーブカートンのもう一つの実施例を示す斜視図であり、図５は本発明によるトレー同時開封スリーブカートンのもう一つの実施例のスリーブのブランクの展開図である。図６は本発明によるトレー同時開封スリーブカートンのトレーを示す斜視図である。図７は本発明によるトレー同時開封スリーブカートンの一実施例の概略断面図である。図８は本発明によるトレー同時開封スリーブカートンの一実施例の開封を説明する図である。
さらに、図９は本発明によるトレー同時開封スリーブカートンを吊り下げた状態を示す斜視図であり、図１０は本発明によるトレー同時開封スリーブカートンを組み立てる一つの方法の説明図である。
【０００９】
本発明におけるトレー同時開封スリーブカートンは、スリーブ１、トレー２そしてシール蓋３とから構成されている。
【００１０】
スリーブ１としては、二つの形態があり、実施例Ａに示す一つの形態の形状は、少なくとも、トレー２の引出部に筒状体を形成していることが必要であるが、図１に示すように、引き出し部がオープンになっているスリーブタイプのカートン形状である。このスリーブ１ａの断面は、トレー２の形状に合わせるために台形であってもよい。スリーブ１ａの天面のトレー２を引き出す側の外縁部の一部を突起部４ａとし、トレー２の引き出す側にも突起部６を設け、スリーブ１ａの突起部４ａとトレー２の突起部６とを合わせて接着し、スリーブ１ａとトレー２とを一体化している。
【００１１】
図２は、実施例Ａのスリーブ１ａを示すブランクの展開図である。ブランク１０は、底面１１、側面１２、天面１３、側面１４、糊代片１５を、罫線ａ、ｂ、ｃ、ｄを介して連設している。天面１３には、トレー２を引き出す側に、突起部４ａを延設している。この突起部４ａの形状は、半円形、四辺形など、いずれの形状でもよく、特に限定されないが、指で摘むのに充分な広さであることが望ましい。また、後述するトレー２の突起部６の形状と合わせることが必要である。さらに、突起部４ａを切り取る手段Ｔを設ける。この切り取り手段Ｔとしては、図３−ａに示すように、突起部４ａの根元の部分にジッパーＴ１を設ける方法、また、図３−ｂに示すように、先端方向に拡がったＶ字形のミシン目Ｔ２あるいは、図３−ｃに示すように、連続したＬ字形の切れ目Ｔ３を設ける方法などがある。
【００１２】
本発明におけるトレー同時開封スリーブカートンのもう一つの実施例Ｂに示すもう一つの形態のスリーブ１ｂでは、図４に示すように、スリーブ１ｂのトレー２を引き出す側の外縁部に切り取り部４ｂを設け、トレー２の引き出す側の突起部６とを合わせて接着し、スリーブ１ｂとトレー２とを一体化している。
【００１３】
図５は、実施例Ｂのスリーブ１ｂを示すブランクの展開図である。ブランク２０は、底面２１、側面２２、天面２３、側面２４、糊代片２５を、罫線ａ、ｂ、ｃ、ｄを介して連設している。天面２３には、トレー２を引き出す側の外縁部に切り取り部４ｂを設けている。この切り取り部４ｂの形状は、半円形、四辺形など、いずれの形状でもよく、特に限定されないが、指で摘むのに充分な広さであることが望ましい。この切り取り手段としては、一般的なミシン目、半切れなど用いる。
【００１４】
スリーブ１の基材となる紙としては、耐引き裂き性があり、ある程度の剛度を有する板紙であればよいが、一般のカートンに用いられる板紙のように印刷適性があることが好ましい。紙単体ではなく、紙の表面あるいは裏面にプラスチックフィルム、金属箔等を積層してもよい。
印刷はカートン表面に、オフセット印刷、グラビア印刷等の通常の印刷技術により行い、つずいて、打ち抜き工程において、ブランクを作成する。
【００１５】
トレー２としては、プラスチックシートから真空成形により作られるもの、射出成形により作られるものがあり、いずれの製法によるものでも良い。内容物の種類、量により適宜な形状および深さに成形するが、例えば、図６−ａに示すように、一般的なテーパーのついた直方体のトレー２ａでもよい。また、図６−ｂに示すように、トレー２の取り出す前後の面に角を付けたテーパーの付いた六角形のトレー２ｂでもよい。この六角形のトレー２ｂにすることによって、内容物を入れた時にトレー２が形を保持できずに歪んでしまうことを防ぐことができる。さらに、図６−ｃに示すように、トレー２の内面に凹んだ部分７を設けたトレー２ｃでもよく、トレー２の歪みを少なくする効果および圧縮強度を向上させ潰れにくくする効果を付与することができる。いずれにしてもその周縁部には、ヒートシールのためのフランジ５を設ける。さらに、トレー２の引き出し側のフランジには突起部６を設ける。この突起部６の形状は、半円形、三角形、四辺形などでよく、指で摘んでトレー２を引き出せる形状とする。この突起部６とスリーブ１の外縁部の一部とを合わせて接着することによって、スリーブ１とトレー２とが一体化される。
また、使用されるプラスチックシートの材質としては、ポリエチレン樹脂、ポリスチレン樹脂、ポリプロピレン樹脂、ポリエステル樹脂、ポリアミド樹脂、ポリカーボネート樹脂、ポリ塩化ビニル樹脂等があげられる。
【００１６】
また、このトレー２には、全てプラスチックから作られるもの以外に、紙とプラスチックとの複合トレーも使用できる。例えば、内面のプラスチックのトレーと外面の紙のトレーとを貼り合わせた形式のもの、プラスチックのトレーの側壁全周に紙を貼り合わせた形式のものなどがある。これらの複合トレーを作成する場合には、あらかじめプラスチックの成形の型の中に紙を装填しておき、プラスチックの成形と同時に、プラスチックと紙を一体化する方法もある。
【００１７】
シール蓋３としては、前記トレー２に内容物を充填した後、専用ヒートシーラーによりヒートシールされるものであるが、本発明においては、イージーピール性を有する蓋材を用いる。このシール蓋３を剥し始める側のトレー２のフランジ５にシール蓋３をシールする場合、シール形状はＩ字形（図６−ａの斜線の部分）よりＶ字形（図６−ａの網点の部分）の方が好ましい。この部分でのシール形状はＶ字形の方が、初期の剥離において、小さい力で剥離が可能となる。この点から、図６−ｂのトレー２の形状はシール部がＶ字形となることから好ましい。このシール蓋３の一部を延長し、スリーブ１へ接着する部分を、図７に示すように、延長部分Ｘとする。シール蓋３の材質としては、一般的な包装条件、例えば、密封性や臭いのないこと、食品用や医薬品用等であれば、衛生性等に問題がなく、トレーにヒートシールが可能で、イージーピール性を示し、スリーブ１に部分的に接着可能なものであればよい。
【００１８】
つぎに、本発明のトレー同時開封スリーブカートンにおいては、スリーブ１と、シール蓋３の延長部分Ｘとを部分的に接着するが、図７に示すように、シール蓋３の一部をトレー２のフランジ６より延長し、延長部分Ｘを反転させ、スリーブ１の天面１３の裏面と接着させる。その場合、接着部分としては、天面１３のトレー２を引き出す側の外縁部の突起部４ａあるいは切り取り部４ｂは除く。そして、接着の強度、接着のパターン又は面積は、トレー２を引き出すときに、支障がなければよい。即ち、スリーブ１からトレー２を引出す際に、シール蓋３が易開封できればよい。したがって、スリーブ１の天面１３とシール蓋３の延長部分Ｘとの接着力が、トレー２とシール蓋３との接着力より大きいことが必要である。
【００１９】
実際に本発明のトレー同時開封スリーブカートンを開封する時には、一実施例Ａの開封を図８−ａに示しているが、スリーブ１の突起部４ａのジッパーを引き裂いた後、スリーブ１の突起部４ａとトレー２の突起部６とを貼り合わせた部分を指で摘んで引っ張り、トレー２をスリーブ１から引き出す。あるいは、図８−ｂに示すように、スリーブ１の突起部４とトレー２の突起部６とを貼り合わせた部分を指で摘んで、スリーブ１の突起部４ａに設けられたミシン目などの切り取り線を押して、そして引き破り、トレー２をスリーブ１から引き出す。どちらの場合でも、トレー２を引き出すと同時に、図８−ｃに示すように、シール蓋３がトレー２から剥がされ、開封される。トレー２をスリーブ１の元に戻すと、再封することができる。この再封では、完全密封されないため、電子レンジなどで調理した場合に、蒸気が適度に逃げるため、冷凍食品などの解凍、調理に適している。
【００２０】
もう一つの実施例Ｂについても、同様にスリーブ１の突起部４ｂとトレー２の突起部６とを貼り合わせた部分を指で摘んで、スリーブ１の突起部４ｂに設けられたミシン目などの切り取り線を押して、そして引き破り、トレー２をスリーブ１から引き出す。
【００２１】
本発明のトレー同時開封スリーブカートンでは、スリーブ１の天面１３のトレー２の引き出す側の外縁部の突起部４ａあるいは切り取り部４ｂとトレー２の突起部６とを貫通した吊り下げ用の孔を設けることにより、図９−ａに示すように、店頭で商品を吊り下げることができ、販売促進効果を上げることができる。また、商品を吊り下げるためには、図９−ｂに示すように、スリーブ１の天面１３あるいは底面１１のトレー２の引き出す側と反対側に突起部７を設け、この突起部７に吊り下げ用の孔を設けることによってもできる。
【００２２】
【実施例】
本発明のトレー同時開封スリーブカートンの一実施例について詳しく説明する。
スリーブ１の用紙として、コートボール２７０ｇ／ｍ2 を用い、まず、表面に、所定の印刷を施し、つぎに、図２に示すようなブランク１０を打ち抜き加工で作成した。
【００２３】
トレー２には、共押出し製膜により、構成がポリプロピレン１４０μｍ／ＥＶＯＨ２０μｍ／ポリプロピレン１４０μｍの厚さが３００μｍのシートを用い、真空成形法によりトレー２を成形した（略号  ＥＶＯＨ：エチレン−酢酸ビニル共重合体のケン化物）。トレー２の開口部のサイズは、巾５６ｍｍ、奥行き１５４ｍｍ、深さ３２ｍｍとし、トレー２のフランジ５の巾は４ｍｍとした。このトレー２をスリーブ１に収納した。
【００２４】
トレー２のシール蓋３としては、ポリエチレンテレフタレート１２μｍ／接着剤／蒸着ポリエチレンテレフタレート１２μｍ／ポリエチレン２０μｍの複合フィルムにＥＶＡを主成分とするホットメルト接着剤を８μｍ（７ｇ／ｍ2 ）の厚さにコートした。
【００２５】
つぎに、包装工程となるが、内容物として、ボール状チョコレートをトレー２に充填し、シール蓋３を、ヒートシールしたが、シール蓋３の一辺には、トレー２のフランジ５の端から更に長くした延長部Ｘを設けた。
【００２６】
図１０は、本発明によるトレー同時開封スリーブカートンを組み立てる一つの方法の説明図である。
スリーブ１とトレー２とシール蓋３の延長部Ｘとの接着は、スリーブ１を組み立てる前のブランク１０をトレー２の上面から被せ、シール蓋３の延長部Ｘの一部とスリーブ１の天面１３、トレー２の突起部６の一部とスリーブ１の突起部４ａとをホットメルト型接着剤８で接着する。つぎに、ブランク１０をトレー２に巻き込んで糊代片１５と底面１１とを接着することにより組み立てが完了した。
【００２７】
前記包装体のスリーブ１からトレー２を引き出したところ、トレー２から、シール蓋３がスムーズに剥離し、シール蓋３の一部はスリーブ１に接着したままであり、また、再度トレー２をスリーブ１の中に押し込むと、シール蓋３も、トレー２と共に、スリーブ１の中に収納された。
【００２８】
【発明の効果】
トレーをスリーブから取り出すと同時に、蓋がトレーより剥離され、密封トレーが開封される包装、いわば、トレー同時開封スリーブカートンであって、トレーが脱落しない、カートン全体としてバージン性を持ち、スリーブからトレーを引出しやすく、かつ、トレーをスリーブの中に戻すだけで簡単にトレーのシール蓋を再封できるトレー同時開封スリーブカートンを提供することができる。
【図面の簡単な説明】
【図１】本発明によるトレー同時開封スリーブカートンの一実施例を示す斜視図である。
【図２】本発明によるトレー同時開封スリーブカートンの一実施例のスリーブのブランクの展開図である。
【図３】本発明によるトレー同時開封スリーブカートンのスリーブの突起部の拡大図である。
【図４】本発明によるトレー同時開封スリーブカートンのもう一つの実施例を示す斜視図である。
【図５】本発明によるトレー同時開封スリーブカートンのもう一つの実施例のスリーブのブランクの展開図である。
【図６】本発明によるトレー同時開封スリーブカートンのトレーを示す斜視図である。
【図７】本発明によるトレー同時開封スリーブカートンの一実施例の概略断面図である。
【図８】本発明によるトレー同時開封スリーブカートンの一実施例の開封を説明する図である。
【図９】本発明によるトレー同時開封スリーブカートンを吊り下げた状態を示す斜視図である。
【図１０】本発明によるトレー同時開封スリーブカートンを組み立てる一つの方法の説明図である。
【符号の説明】
Ａ  本発明によるトレー同時開封スリーブカートンの一実施例
Ｂ  本発明によるトレー同時開封スリーブカートンのもう一つの実施例
１  スリーブ
２  トレー
２ａトレー（テーパー付き直方体）
２ｂトレー（テーパー付き六角柱体）
２ｃトレー（凹み部分を有するテーパー付き六角柱体）
３  シール蓋
４ａ突起部（スリーブ）
４ｂ切り取り部（スリーブ）
５  フランジ
６  突起部（トレー）
７  凹んだ部分
８  接着剤
１０  ブランク（実施例Ａのスリーブ）
１１  底面
１２  側面
１３  天面
１４  側面
１５  糊代片
２０  ブランク（実施例Ｂのスリーブ）
２１  底面
２２  側面
２３  天面
２４  側面
２５  糊代片
Ｔ  切り取り手段
Ｔ１ジッパー
Ｔ２ミシン目
Ｔ３連続したＬ字形の切れ目
【図１】
0004043603.tif 000002
【図２】
0004043603.tif 000003
【図３】
0004043603.tif 000004
【図４】
0004043603.tif 000005
【図５】
0004043603.tif 000006
【図６】
0004043603.tif 000007
【図７】
0004043603.tif 000008
【図８】
0004043603.tif 000009
【図９】
0004043603.tif 000010
【図１０】
0004043603.tif 000011